【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
熱伝導率を備えた所定の板厚の金属板の一方面に接着剤層を介して金属箔が貼り合わされ、上記金属板の一方面とは反対側の他方面に一体形成された放熱部とを有する金属ベースプリント基板であって、
上記放熱部は、上記他方面を掘り起こし工具によって掘り下げることにより、上記他方面に所定の間隔で起立形成された複数の板状の放熱フィンを備えており、
各放熱フィンは、上記他方面に連続している基端部からその先端に向けて肉厚が漸減していると共に、上記基端部から上記先端に向けて湾曲しており、
隣接する上記放熱フィンの間隔は、上記基端部から上記先端に向けて漸増しており、
上記金属板において、上記放熱部の隣接する上記放熱フィンの間に形成される底面の板厚を上記金属板の板厚よりも小さく形成したことを特徴とする放熱部付き金属ベースプリント基板。
【請求項２】
上記放熱部を金属板の端部から離間させた中央部に設け、上記放熱部の周囲に上記金属板の板厚からなる鍔部を形成した請求項１に記載の放熱部付き金属ベースプリント基板。
【請求項３】
複数の放熱フィンからなる放熱部を上記金属板の他方面に離間させて複数個設けた請求項１に記載の放熱部付き金属ベースプリント基板。
【請求項４】
上記放熱部が上記金属板の他面に離間させて複数個設けられ、これら放熱部の間に底面の板厚を上記金属板の板厚よりも小さく形成した凹所が形成された請求項３に記載の放熱部付き金属ベースプリント基板。
【請求項５】
上記放熱部が金属板の一方面に貼り合わされ金属箔からなる配線パターンに配設される発熱電子部品に対応した他方面に設けられた請求項１乃至４のいずれかに記載の放熱部付き金属ベースプリント基板。
【請求項６】
一方面に絶縁性の接着剤層を介して金属箔が貼り合わされた熱伝導率を備えた所定の板厚の金属板の他方面と、移動方向の先端側に刃部が形成された掘り起こし工具とを、所定の角度を有した状態で相対移動させて、上記掘り起こし工具の刃部により上記金属板の他方面から一方面方向に掘り下げることにより、上記他方面に連続している基端部からその先端に向けて肉厚を漸減すると共に、基端部から先端に向けて湾曲させた板状の放熱フィンを一体に起立形成すると共に、上記放熱フィンの起立形成によって形成された被加工面よりも形成ピッチ分の上流側から、上記金属板と上記掘り起こし工具とを相対移動させ、上記掘り起こし工具により上記金属板を掘り起こすことにより、上記他方面に連続している基端部からその先端に向けて肉厚を漸減すると共に、基端部から先端に向けて湾曲させた次の板状の上記放熱フィンを一体に起立形成して、隣接する上記放熱フィンの間隔を上記基端部から上記先端に向けて漸増するように形成するとともに、上記放熱部の隣接する上記放熱フィンの間に形成される底面の板厚を上記金属板の板厚よりも小さく形成し、以後上記放熱フィンを一体に起立形成する掘り起こし工程を順次繰り返して上記金属板の他方面に複数の上記放熱フィンを連続形成して放熱部を形成することを特徴とする放熱部付き金属ベースプリント基板の製造方法。
【請求項７】
上記金属板と上記掘り起こし工具とを所定の角度を有した状態で上記金属板の一端側よりも離間した所定位置に上記掘り起こし工具を挿入し、基部が上記金属板に連結した小寸な複数枚の小形フィンを高さが順次大きくなるように形成し、
上記掘り起こし工具の刃部が所定の深さに達した後は、上記被加工面よりも形成ピッチ分の上流側から上記金属板と上記掘り起こし工具とを相対移動させて板状の上記放熱フィンを一体に起立形成するフィン形成工程を順次繰り返して複数の上記放熱フィンを連続して形成する請求項６に記載の放熱部付き金属ベースプリント基板の製造方法。
【請求項８】
金属板の他方面と、移動方向の先端側に刃部が形成された掘り起こし工具とを、所定の角度を有した状態で相対移動させて、上記掘り起こし工具の刃部により上記金属板の他方面から一方面方向に掘り下げることにより、板状の放熱フィンを起立形成するフィン形成工程と、その後上記掘り起こし工具を水平方向に移動させて上記放熱フィンの基端を切削する切削工程とによって、上記金属板の他方面には底面の板厚を上記金属板の板厚よりも小さく形成した所定の深さの凹所を形成する凹所形成工程を有し、この凹所形成工程を上記放熱部の形成に連続して行う請求項６に記載の放熱部付き金属ベースプリント基板の製造方法。
【手続補正２】
【補正対象書類名】明細書
【補正対象項目名】００１０
【補正方法】変更
【補正の内容】
【００１０】  上記の課題を解決するために、本発明にかかる放熱部付き金属ベースプリント基板は、熱伝導率を備えた所定の板厚の金属板の一方面に接着剤層を介して金属箔が貼り合わされ、上記金属板の一方面とは反対側の他方面に一体形成された放熱部とを有する金属ベースプリント基板であって、上記放熱部は、上記他方面を掘り起こし工具によって掘り下げることにより、上記他方面に所定の間隔で起立形成された複数の板状の放熱フィンを備えており、各放熱フィンは、上記他方面に連続している基端部からその先端に向けて肉厚が漸減していると共に、上記基端部から上記先端に向けて湾曲しており、隣接する上記放熱フィンの間隔は、上記基端部から上記先端に向けて漸増しており、上記金属板において、上記放熱部の隣接する上記放熱フィンの間に形成される底面の板厚を上記金属板の板厚よりも小さく形成したことを要旨としている。
【手続補正３】
【補正対象書類名】明細書
【補正対象項目名】００１５
【補正方法】変更
【補正の内容】
【００１５】  また、本発明にかかる放熱部付き金属ベースプリント基板の製造方法は、一方面に絶縁性の接着剤層を介して金属箔が貼り合わされた熱伝導率を備えた所定の板厚の金属板の他方面と、移動方向の先端側に刃部が形成された掘り起こし工具とを、所定の角度を有した状態で相対移動させて、上記掘り起こし工具の刃部により上記金属板の他方面から一方面方向に掘り下げることにより、上記他方面に連続している基端部からその先端に向けて肉厚を漸減すると共に、基端部から先端に向けて湾曲させた板状の放熱フィンを一体に起立形成すると共に、上記放熱フィンの起立形成によって形成された被加工面よりも形成ピッチ分の上流側から、上記金属板と上記掘り起こし工具とを相対移動させ、上記掘り起こし工具により上記金属板を掘り起こすことにより、上記他方面に連続している基端部からその先端に向けて肉厚を漸減すると共に、基端部から先端に向けて湾曲させた次の板状の上記放熱フィンを一体に起立形成して、隣接する上記放熱フィンの間隔を上記基端部から上記先端に向けて漸増するように形成するとともに、上記放熱部の隣接する上記放熱フィンの間に形成される底面の板厚を上記金属板の板厚よりも小さく形成し、以後上記放熱フィンを一体に起立形成する掘り起こし工程を順次繰り返して上記金属板の他方面に複数の上記放熱フィンを連続形成して放熱部を形成することを要旨としている。
【手続補正４】
【補正対象書類名】明細書
【補正対象項目名】００１７
【補正方法】変更
【補正の内容】
【００１７】  複数の上記放熱部の間に底面の板厚が上記金属板の板厚よりも小さく形成した凹所を形成するときは、上記金属板の他方面と、移動方向の先端側に刃部が形成された掘り起こし工具とを、所定の角度を有した状態で相対移動させて、上記掘り起こし工具の刃部により上記金属板の他方面から一方面方向に掘り下げることにより、板状の放熱フィンを起立形成するフィン形成工程と、その後上記掘り起こし工具を水平方向に移動させて上記放熱フィンの基端を切削する切削工程とを繰り返し行い、上記金属板の他方面には底面の板厚を上記金属板の板厚よりも小さく形成した所定の深さの凹所を形成する。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】  本発明にかかる金属ベースプリント基板によれば、一方面に絶縁性の接着剤層を介して金属箔が貼り合わされた熱伝導率が良好な金属板の他方面に、肉薄な板状に起立形成された複数の放熱フィンからなる放熱部が一体に設けられているので、上記金属箔によって形成される配線パターンに配設された発熱を伴う電子部品の熱を金属板から直接放熱部に伝えて放熱することが可能となる。このとき、放熱フィンの板厚を基端部が厚く、先端部に至るに従って薄く形成すると、基端部は板厚が厚いことから熱容量が大きくなり、金属板からの熱を受け入れが容易になり、熱が先端部の方向へ伝達するに従って順次放熱され、先端部では小さい熱容量であっても容易に放熱させることができる。従って、放熱フィンは、熱の伝達と放熱に合わせて板厚を変化させているので、放熱効率が高い放熱部を得ることができる。この結果、上記放熱部によって、上記電子部品を効率よく冷却することが可能となる。しかも、放熱部は、隣接する上記放熱フィンの間に形成される底面の板厚を上記金属板の板厚よりも小さく形成しているので、電子部品から発する熱が、短時間に放熱部に伝達するので、一段と放熱効率を高めることが可能となる。また、プリント基板を構成する金属板自体に一体に放熱部を形成しているので、構成が簡素になり、部品コストや製造コストを低減することが可能となる。
【手続補正７】
【補正対象書類名】明細書
【補正対象項目名】００２６
【補正方法】削除
【補正の内容】